(57)【要約】【課題】ソーシャル・ネットワーク内部において共通する知り合いに、公開タグ、メモ、またはその他のデータを注釈として付ける方法を提供する。【解決手段】これによって、ソーシャル・ネットワークのユーザは、当該ネットワーク内部における他の連絡空きに関する有用な情報を一目で得ることができ、ユーザが定義したキーワードによって、当該ネットワーク内部にある知り合いを選別する手段を提供する。このようなシステムは、ユーザが新しい潜在的な友人や仕事の知り合いを発見でき易く、しかも簡素化する。【選択図】図６
2009505286.tif 000002
【特許請求の範囲】
【請求項１】
ソーシャル・ネットワークを提供する方法であって、
（ａ）格納済みの知り合いに対する注釈のためのデータを受けるステップであって、該データは前記格納済み知り合いの所有者によって生成される、ステップと、
（ｂ）前記注釈のための前記データを格納するステップであって、該格納するデータは、前記ソーシャル・ネットワークにアクセスする個人にアクセス可能である、ステップと、
を備えた、方法。
【請求項２】
請求項１記載の方法であって、更に、前記注釈を前記格納済み知り合いと共に表示するステップを備えており、前記注釈の内容は前記データに基づく、方法。
【請求項３】
請求項１記載の方法であって、更に、前記格納済み知り合いに関連する表示されたアイコンが選択されたときに、前記注釈を前記格納済み知り合いと共に表示するステップを備えた、方法。
【請求項４】
請求項１記載の方法であって、更に、グラフィカル・ユーザ・インターフェース上において所有者にウィンドウを呈示し、所有者が前記データを入力できるようにするステップを備えた、方法。
【請求項５】
請求項１記載の方法において、前記データを受けるステップ（ａ）は、前記格納済み知り合いに関して所有者が生成したメモを受けるステップを備えた、方法。
【請求項６】
請求項５記載の方法において、前記メモは、前記格納済み知り合いの特性、および該格納済み知り合いの所有者に対する関係の内少なくとも１つに関する、方法。
【請求項７】
請求項５記載の方法において、前記メモは自然言語テキストを用いて生成される、方法。
【請求項８】
請求項１記載の方法において、前記データを受けるステップ（ａ）は、前記格納済み知り合いに関して所有者が生成したキーワード・タグを受けるステップを備えた、方法。
【請求項９】
請求項８記載の方法であって、更に、前記キーワード・タグによって、前記ソーシャル・ネットワークにおける格納済み知り合いを検索するキーワード検索能力を設けるステップを備えた、方法。
【請求項１０】
請求項８記載の方法において、前記キーワード・タグは、前記格納済み知り合いの特性、および該格納済み知り合いの所有者に対する関係の内少なくとも１つに関する、方法。
【請求項１１】
ソーシャル・ネットワークを提供する方法であって、
（ａ）格納済み知り合いに対する注釈のためのデータを格納するステップであって、前記データは前記格納済み知り合いの所有者によって生成される、ステップと、
（ｂ）前記ソーシャル・ネットワークにアクセスする個人に前記格納済み知り合いを表示するときに、前記データを用いて、前記格納済み知り合いの注釈に作用するステップと、
を備えた、方法。
【請求項１２】
請求項１１記載の方法において、格納済み知り合いに対する注釈のためのデータを格納する前記ステップ（ａ）は、企業サービス・プロバイダのデータベース上に前記データを格納するステップを備えた、方法。
【請求項１３】
請求項１１記載の方法において、前記データを用いて、前記格納済み知り合いの注釈に作用する前記ステップ（ｂ）は、関連するメモ、関連するグラフィック画像、関連するビデオ・クリップへのリンク、関連するオーディオ・ファイルへのリンク、および関連するテキスト・ファイルへのリンクの内少なくとも１つと共に、前記格納済み知り合いを表示するステップを備えた、方法。
【請求項１４】
請求項１１記載の方法において、前記データを用いて、前記格納済み知り合いの注釈に作用する前記ステップ（ｂ）は、前記格納済み知り合いを、関連するキーワード・タグと共に表示するステップを備えた、方法。
【請求項１５】
請求項１４記載の方法であって、更に、前記キーワード・タグによって、前記ソーシャル・ネットワークにおける格納済み知り合いを検索するキーワード検索能力を設けるステップを備えた、方法。
【請求項１６】
請求項１４記載の方法であって、更に、前記格納済み知り合いを表示するとき、当該格納済み知り合いの位置に、他の格納済み知り合いに対して優先度を付けるオプションを提供するステップを備えた、方法。
【請求項１７】
ソーシャル・ネットワークを提供する方法であって、
（ａ）複数の格納済み知り合いの内１つの格納済み知り合いに関連するタグを格納するステップであって、前記タグは前記格納済み知り合いの所有者によって生成される、ステップと、
（ｂ）前記ソーシャル・ネットワークにアクセスする個人に前記格納済み知り合いを表示するとき、前記格納済み知り合いに前記タグを注釈として付けるステップと、
（ｃ）前記関連するタグを有する格納済み知り合いのキーワード検索に応答して、複数の格納済み知り合いの集合に含めるために、前記格納済み知り合いを選択するステップと、
を備えた、方法。
【請求項１８】
請求項１７記載の方法において、前記格納済み知り合いに関連するタグを格納する前記ステップ（ａ）は、企業サービス・プロバイダのデータベース上に前記タグを格納するステップを備えた、方法。
【請求項１９】
請求項１７記載の方法であって、更に、前記ステップ（ｃ）において選択した前記格納済み知り合いの集合を表示するステップを備えた、方法。
【請求項２０】
請求項１７記載の方法であって、更に、
（ａ）複数の格納済み知り合いの内１つの格納済み知り合いに関連するメモを格納するステップであって、前記メモは前記格納済み知り合いの所有者によって生成される、ステップと、
（ｂ）前記ソーシャル・ネットワークにアクセスする個人に前記格納済み知り合いを表示するときに、前記メモを前記格納済み知り合いに注釈として付けるステップと、
を備えた、方法。
【発明の詳細な説明】
【技術分野】
【０００１】
本システムは、ソーシャル・ネットワーク内における共通する知り合い(contact)に公開タグおよび／またはメモ(note)を注釈として付ける方法に関する。
【背景技術】
【０００２】
インターネットを通じたソーシャル・ネットワーキングは、社会的関係および仕事上の関係を拡大し深めていく身近な方法として出現しつつある。ソーシャル・ネットワークは、個人間における関係の地図というように定義されており、さりげない交際から密接なきずなまでの様々な社会的結びつきを通じて彼らがどのように繋がれているかを示す。また、ソーシャル・ネットワークという用語は、人々を集め、関係を策定するまたは深めることができる方法を簡略化するためのネットワーク・インフラストラクチャを意味するためにも用いられている。ソーシャル・ネットワーキングの背後にある思想は、人々が彼らの友人および交際を利用して、他の興味深い人々と出会うことができるということである。
【０００３】
ソーシャル・ネットワークは、数千年もの間色々な形態で知られている。しかしながら、インターネットの出現および普及によって、ＭＳＮ（登録商標）、Ｙａｈｏｏ（登録商標）、およびＡＯＬ（登録商標）サービス・プロバイダのような巨大企業のサービス・プロバイダは、首尾一貫した構造に編成されネットワーク接続によって容易にアクセス可能な、巨大な知り合いのネットワークに個々にアクセスすることを可能にする。大きさ、編成、およびアクセスの容易さの他にも、インターネット・ソーシャル・ネットワークの強みは、一人のネットワーク内部における人々の信用(trust)および信頼性(reliability)である。ある人が友人の友人を知らなくても、最初の人が、彼または彼女の友人が、信頼も信用もできなかった友人とは関連がないことを想定できるという点で、少なくとも信用および信頼性を推論することができる。少なくとも、直接の友人は、第三者があてになるか否か、正直な評価を提供すると確信することができる。また、ソーシャル・ネットワークは、例えば、映画、レストラン、旅先の地等のような情報に基づいた意見を拠り所にしている場合が多い。
【発明の開示】
【発明が解決しようとする課題】
【０００４】
これらの利点全てにも増して、インターネット・ソーシャル・ネットワークは、それ自体の成功が仇になることもある。一人のソーシャル・ネットワークは容易に非常に大きくなることもあり得るので、有用な潜在的可能性がある知り合いを識別するために、ネットワークにフィルタをかける有為な方法がない。一人のソーシャル・ネットワーク上に存在し得る数千もの関係を記述し選別することを満足に行うような構造の方法は、今の所見いだせない。
【課題を解決するための手段】
【０００５】
大まかに説明すると、本システムは、ソーシャル・ネットワーク内部において共有する知り合いに、公開タグ、メモ、またはその他のデータを注釈として付ける方法を提供する。これによって、ソーシャル・ネットワークのユーザは、当該ネットワーク内部における他の知り合いに関する有用な情報を一目で得ることができ、ユーザが定義したキーワードによって、当該ネットワーク内部における知り合いを選別する手段を提供する。このようなシステムは、ユーザが新しい潜在的な友人や仕事の知り合いを発見でき易く、しかも簡素化する。
【０００６】
本システムの形態によれば、格納済み知り合いの所有者がこれらの知り合いにメモおよび／またはタグを注釈として付けることができるので、所有者の知り合いをソーシャル・ネットワークにおける他の人が見るときに、所有者の知り合いについての所有者のメモおよびタグをユーザに表示する。メモおよび／またはタグ情報は、知り合いを作成するときまたは連絡際を作成した後に、所有者の知り合いに追加することもできる。また、メモおよびタグは、これらを作成した後に、所有者によって補正または削除することもできる。
【０００７】
メモは、知り合いおよび／または知り合いと注釈を作成した所有者との間の関係に関する情報を与えることを意図している。つまり、所有者の知り合いにアクセスする人は誰でも、所有者の知り合いおよび／または知り合いの所有者に対する関係に関する有用な情報を素早く習得することができる。タグは、知り合いおよび／または知り合いとタグを作成した所有者との間の関係を記述するキーワードであることを意図している。一旦知り合いについてのタグを作成し保存したなら、ユーザは、彼らのソーシャル・ネットワークを見ながら、キーワード検索によって彼らのソーシャル・ネットワークにフィルタをかける選択肢が与えられる。キーワード検索は、当該キーワードをタグとして含む全ての知り合いを戻す。このように、ユーザは知り合いの集塊を、関心のある特定の特性または関係を所有するものだけに素早く狭めることができる。
【発明を実施するための最良の形態】
【０００８】
これより、図１から図９を参照しながら、本システムの実施形態について説明する。概して言えば、本発明は、ソーシャル・ネットワーク内部における共通する知り合いに、公開タグおよび／またはメモを注釈として付ける方法に関する。これによって、ソーシャル・ネットワークのユーザは、当該ネットワーク内部にある他の知り合いに関する有用な情報を一目で得ることができ、ユーザが定義したキーワードによって、当該ネットワーク内部にある知り合いを選別する手段を提供する。概して言えば、本システムは、格納してある知り合いの所有者がその知り合いに、当該知り合いに関する情報を注釈として付けることを可能にすることによって、ユーザが新たな潜在的な友人や仕事の知り合いを発見し易くすることができる。
【０００９】
本システムによるソーシャル・ネットワークは、ＭＳＮ（登録商標）、Ｙａｈｏｏ（登録商標）、ＡＯＬ（登録商標）、またはその他のオンライン・サービス・プロバイダのような企業のサービス・プロバイダ上における知り合い情報を格納するデータベースの一部として実施することができる。尚、本システムの知り合い情報をサポートするデータベースは、代替実施形態では、企業のサービス・プロバイダ用以外のサーバおよび処理デバイス上に格納してもよいことは言うまでもない。
【００１０】
図１は、ＭＳＮ（登録商標）、Ｙａｈｏｏ（登録商標）、ＡＯＬ（登録商標）、またはその他のオンライン・サービス・プロバイダのような企業のサービス・プロバイダによって運営することができる、サービス・プロバイダ・システムの一実施形態を示すブロック図である。サービス・プロバイダ・システム１００は、ネットワーク型通信を可能にする異なるアプリケーション・インターフェースをサポートすることができる。例えば、サービス・プロバイダ・システム１００がＭＳＮ（登録商標）ネットワークのそれである場合、システム１００は、ＭＳＮ  Ｈｏｔｍａｉｌ（登録商標）のような電子メール・アプリケーション、およびＭＳＮ  Ｍｅｓｓｅｎｇｅｒのようなインスタント・メッセージング・アプリケーション・プログラムをサポートすることができる。
【００１１】
システム１００は、企業サービス・プロバイダが維持する複数の計算機から成る。一実施形態では、例えば、メッセージ転送エージェント（ＭＴＡ）１２０、ユーザ情報データベース・サーバ１１０、ユーザ・メール記憶ユニット１５４、電子メール・サーバ１４０、ＰＯＰ／ＩＭＡＰサーバ１７０、メッセージング・サーバ１５０、およびウェブ統合メッセージング・サーバ１６０を備えることができる。
【００１２】
システム１００では、処理デバイス１０２ａおよび１０２ｂを操作するユーザが、電子メール、メッセンジャ、およびその他のデータにアクセスし、システム１００のドメイン内部およびインターネット５０を通じてアクセス可能なドメイン内部にいるユーザに、下りメッセージ(outbound message)およびメッセージング情報を転送することができる。ユーザは、インターネットを含む多数の公衆または私的ネットワークのいずれを通じてでも、システム１００に接続することができる。ユーザ・データベース・サービス１１０は、ユーザ自身をシステム１００に対して認証し、彼らの電子メールやインターネット・メッセージングにアクセスできるようにする情報を格納する。実施形態では、知り合いのソーシャル・ネットワークはデータベース・サーバ１１０内部に格納することができる。更に、サーバ１１０は、以下で説明するように、注釈エンジン１１５も含み、本システムにしたがって、格納してある知り合いに注釈を付けることができる。データベース・サーバ１１０では、更に、システム内にある他のサーバが、当該システム内部におけるメールおよびメッセージを記憶ユニット１５４上の記憶位置に誘導する(direct)も可能である。
【００１３】
電子メール・サーバ１４０は、ウェブ・ブラウザ１０８への電子メール・インターフェースを設ける。ウェブ・ブラウザ１０８は、ユーザ・コンピュータ１０２ａ上においてブラウザ・プロセス１０６を設定する(institute)。電子メール・サーバ１４０は、データ記憶ユニットからの電子メール・データを、コンピュータ１０２ａを用いて電子メール・システム１００にアクセスするユーザに差し出す(render)。同様に、ＰＯＰ／ＩＭＡＰサーバ１７０は、電子メール・データを、ユーザ・コンピュータ１０２ｂ上にあるＰＯＰ電子メール・クライアント１１８またはＩＭＡＰクライアント１１０に供給することができる。メッセンジャ・サーバ１５０は、メッセンジャ・クライアント１１２に直接、またはウェブ・インターネット・メッセージング・サーバ１６０を通じてブラウザ・プロセス１０６およびウェブ・ブラウザ１０４において動作しているウェブ系メッセンジャ・クライアントに情報を提供することができる。
【００１４】
コンピュータ１０２ａおよび１０２ｂ上におけるユーザからの下りおよび上り電子メール・メッセージは、ＭＴＡ１２０を通じてシステム１００において送付および受信する。電子メールＭＴＡ１２０は、一般に、ＳＭＴＰを用いて、インターネット５０を経由して他のインターネットアクセス可能ドメインにおけるユーザにメールを導出する。電子メールＭＴＡ１２０は、フロント・エンド・サーバであり、これに向けて、インターネットを通じてシステム１００に送信された電子メール１９０を誘導し、更にこの電子メールＭＴＡ１２０は、メセージング・システム１００のユーザからメッセージを、インターネット５０上の他のユーザに転送する。尚、ウェブ系企業サービス・プロバイダ環境には、多数の電子メールＭＴＡ１２０があることは言うまでもない。
【００１５】
ユーザ・データベース・サーバ１１０は、システム１００においてユーザ・アカウントまたは電子メール・アドレスを有するユーザ毎の、ユーザ・アカウントおよび記憶場所のデータ・ストアである。既に示したように、データベース・サーバ１１０は、更に、格納してある知り合いのソーシャル・ネットワークに注釈を付加する注釈エンジン１１５も含む。以下で更に詳しく説明するが、注釈エンジン１１５は、所有者から格納済みの彼らの知り合いの１つ以上についての注釈を受け取り、データベース・サーバ１１０のデータベース内部にあるテーブルに情報を格納する。また、注釈エンジンは、データベースのキーワード検索を実行し、格納してある知り合いの内、検索したキーワードと結びつけられている知り合いを発見することができる。これについては、以下で説明する。尚、注釈エンジンの１つ以上の形態は、サービス・プロバイダ・システム１００内部ではなく、注釈を設定する所有者のクライアント上で実行してもよいことは言うまでもない。
【００１６】
記憶ユニット１５４は、本質的に、大型のディスク・アレイであり、ユーザ・メッセージ情報を格納することができる。本システムは、余分な構成要素を含むこともできるが、本システムを理解し易くするために、これらの構成要素はここには示していない。
【００１７】
前述のサービス・プロバイダ・システムでは、ソーシャル・ネットワークからの格納済み知り合いには、例えば、インスタント・メッセージング・アプリケーション・プログラム、電子メール・アプリケーション・プログラム、および／またはブログ・アプリケーション・プログラムのような、種々のアプリケーション・インターフェースのいずれを通じてでも、ユーザにアクセス可能であり、ユーザが利用することができる。ユーザは、彼または彼女のソーシャル・ネットワークに新しい知り合いを、先に名称を上げたアプリケーション・インターフェースの１つに追加することができる。これは、当技術分野では周知である。即ち、新しい知り合いの追加を可能にするアプリケーション・プログラムにおいて、ツール・バーまたはドロップ・ダウン・メニューからというように適正な選択肢が選択されたときに、ユーザのグラフィック・ユーザ・インターフェースを通じて、ユーザにウィンドウを呈示して、新しい知り合いに関する情報を追加するようにユーザに催促することができる。このような情報は、名前、住所、国、電話番号、電子メール・アドレス、ウェブサイト、知り合いのスクリーン・ネーム(screen name)等を含むことができる。
【００１８】
本システムによるソーシャル・ネットワークの実施形態では、一旦ユーザが知り合いを彼または彼女のネットワークに追加すると、通知または招待をその知り合いに送付して、知り合いがそのユーザを彼または彼女の知り合いに追加したか、または追加したいか否か判断する。招待が受けられた場合、知り合いおよびユーザの間に双方向リンク、または相互関係ができたと言い、各々は他方のソーシャル・ネットワークの一部となる。
【００１９】
知り合いが、ユーザを知り合いのソーシャル・ネットワークに追加する招待に同意しない場合、ユーザおよび知り合いの間には一方向リンクがあると言い、ユーザを知り合いのファンと呼ぶことができる。
【００２０】
以下で説明する図２に示すように、ユーザは、グラフィカル・ユーザ・インターフェース・ウィンドウを引き上げ(pull up)、彼または彼女のソーシャル・ネットワーク内に格納されている知り合いの全てを示すことができる。ユーザと特定の格納済み知り合いとの間に双方向リンクがある場合、特定の格納済み知り合いは、ユーザのソーシャル・ネットワーク上に、グラフィック画像と共に現れることができる。グラフィック画像は、知り合いの写真、または知り合いが選択するその他の何らかのグラフィック表現とすればよい。知り合いがグラフィック画像を供給しない場合、（知り合いとユーザとの間の双方向リンクを示す）所定の画像を用いてもよい。一方、知り合いがユーザの招待に同意せず、ユーザとユーザの知り合いとの間に一方向リンクしか存在しない場合、本システムの実施形態では、知り合いが選択したグラフィック画像は、ユーザのソーシャル・ネットワークには表示されない。代わりに、シルエットのような概略的な画像を、その知り合いに対して示すことができる。
【００２１】
また、データベース・サーバ１１０において、知り合い毎に逆リスト・テーブルを格納することもできる。ユーザが彼または彼女のソーシャル・ネットワークに知り合いを追加するとき、そのユーザを、知り合いの格納逆リストに追加することができる。つまり、知り合いは逆リスト・テーブルにアクセスすることによって、当該知り合いをソーシャル・ネットワークに含めている各々を特定することができる。
【００２２】
図２は、以下で説明する計算機３１０と関連するグラフィカル・ユーザ・インターフェースのディスプレイ３９１（図９）上に呈示した、ユーザのソーシャル・ネットワークからのページ２００の図である。ページ２００は、データベース・サーバ１１０上のユーザが行った要求に応答して、ユーザの計算機上で走っているブラウザを通じて呈示することができる。
【００２３】
一例に過ぎないが、ソーシャル・ネットワークのページ２００は、「Tina」（ティナ）の知り合いを示し、特に、この例では、Tinaが有する３００の知り合いの内最初の１８だけを示す。また、このページは、名前、住所、電話、電子メール等のような、Tinaの知り合いの情報の１つ以上の部分も示す。図示したTinaの知り合いの内、知り合い２０２のように、一部がシルエットのみで示されており、これらの知り合いがTinaとの双方向リンクを受け入れていないことを示す。知り合い２０４のようなその他の知り合いは、写真またはTinaとこれらの知り合い２０４との間の相互関係を示すその他の表現というようなグラフィック画像を有する。Tinaは、ページ２００上に表示されている格納済み知り合いの「所有者」と見なすことができ、知り合いを見ているがこれらを作成しなかったユーザとは区別する。
【００２４】
ナビゲーション・ボタン２０６上でクリックして（マウスまたは当技術分野では周知のその他のポインティング・デバイスの制御の下で、グラフィカル・ポインタを用いて）Tinaの格納済み知り合いにおける次のページの知り合いを示すことにより、Tinaに対して格納されているその他の知り合いを見ることができる。加えて、知り合い２０４は、生きたハイパーリンク(live hyperlinek)としてもよく、１つをクリックしたときに、データベース・サーバ１１０が、選択した知り合い２０４の知り合いを供給するようにしてもよい。例えば、ユーザが知り合い２０４ａ（スクリーン・ネーム「Wonder Woman」（不思議な女）上でクリックすると、ユーザにはページ２００と同様であるがWonder Womanの知り合いを示すページを呈示することができる。一方、Wonder Womanの知り合いに示す相互友人上でアクセスすると、その人の知り合いにアクセスすること等とすることもできる。
【００２５】
知り合いの知り合いの連続評価は、異なる知り合いレベルにアクセスするに連れて見ることができる。異なる知り合いレベルの指示は、例えば、ページ２００の足跡(trail)２０８において示すことができる。この例では、ユーザは既に「Ｂｏｂ」（ボブ）の知り合いを見ており、ユーザは「Batman」（バットマン）の知り合いを見つけてアクセスした。Batmanの知り合いから、ユーザはTinaの知り合いにアクセスして、図２に示すページ２００を生成した。同様に、ユーザがWonder Womanのアイコン上でクリックしたなら、Wonder Womanのアイコンが、Tinaのグラフィック画像の次に、足跡２０８に現れる。このように、ユーザが見る異なる知り合いレベルの足跡２０８を、本システムの実施形態ではユーザのものである、知り合いの最初のリストまで遡って全て維持することができる。足跡は、ナビゲーション・アイコン２１０によってナビゲートして、以前の知り合いレベルに戻ることができる。実施形態では、足跡は、以前に見た知り合いを、予め設定した数だけ含んでもよい。
【００２６】
実施形態では、シルエット表示の知り合い２０２は、生きたハイパーリンクではなく、ユーザは、知り合い２０２のソーシャル・ネットワーク上の格納済み知り合いを見ることができない。これは、知り合い２０２が彼らの知り合いを共有する許可をTinaに与えていなかったからである。知り合い２０２はTinaに彼らの知り合いを共有する許可を与えなかったが、知り合い２０２は、ユーザのソーシャル・ネットワークにおける他の知り合いに対しては相互友人である可能性もあり、彼らの格納済み知り合いにその経路を通じてアクセスすることができる。
【００２７】
図２の例におけるTinaのような一部の知り合いが多数の知り合いを有するので、本システムの実施形態は、知り合いに、彼らの格納済み知り合いを表示するときに、これらを呈示する順序に優先度を付けることを可能にする。所有者には、彼ら自身の知り合いに優先度を付けるためのウィンドウ（図示せず）を呈示することもできる。このウィンドウは、所有者が総合的なカテゴリに知り合いを分類する、即ち、高優先度（表示する知り合いの上位３つに掲載）、中優先度（表示する知り合いの真ん中の２つに掲載）、および低優先度（表示する知り合いの下位３つに掲載）に分類することができる。他の粒度も考えられる。あるいは、ユーザには、彼らの知り合いに対する具体的な表示位置を定義する選択肢を与えてもよい。即ち、この人の最初に掲示し、この人を最初のページに呈示する等としてもよい。所有者の格納済み知り合いの並び替え順序は、注釈として付けるメモ、タグ、および以下で説明するようなその他の格納データと同様に、所有者の共通する知り合いに適用する注釈を考慮してもよい。
【００２８】
本システムの形態によれば、所有者、例えば、図２におけるTinaは、彼女の知り合いに、ここではメモおよび／またはタグと呼ぶテキストを注釈として付けることができるので、所有者の知り合いをユーザが見るとき、彼または彼女の知り合いに関する所有者のメモおよびタグがユーザに表示される。このように、ユーザは、ユーザにとって重要なこともある、所有者の知り合いに関する情報を素早くしかも簡単に認識し選別することができる。
【００２９】
メモおよび／タグ情報は、知り合いを作成するときまたは知り合いを作成した後に、所有者の知り合いに追加することもできる。一例として、所有者は、Karen（カレン）という名の知り合いについて図３に示すページ２１０のように、格納済み知り合いページを呈示するツール・バーまたはドロップ・ダウン・メニューから１つの選択肢を選択することができる。ページ２１０は、それぞれタグおよびメモを追加するためのテキスト・ボックス２１２および２１４を所有者に呈示する。即ち、タグ・ボックス２１２において追加されたテキストを、注釈エンジン１１５が格納するタグ・ボックス２１２に、データベース・サーバ１１０においてインデックスを付けられ検索可能なテーブルの中にあるKarenのレコードの一部として格納する。これについては、以下で更に詳しく説明する。同様に、メモ・ボックス２１４において追加されたテキストを、データベース・サーバ１１０におけるテーブルにあるKarenのレコードの一部として、注釈エンジン１１５によって格納する。実施形態では、Karenについてメモに追加したテキストは検索可能ではないが、代替実施形態ではそのようにしてもよい。
【００３０】
最初にメモ・ボックス２１４を参照すると、実施形態では、ボックス２１４は１０００文字まで受け付けることができるが（メモを比較的短く抑えるように）、代替実施形態ではこれよりも多い文字または少ない文字でも受け入れることができる。定式化バー２１６を含めると、所有者はメモを異なるテキスト様式でフォーマットすることができ、更に実施形態では、異なるシンボルや感情アイコン(emoticon)も追加することができる。実施形態では、メモ・ボックスは、ハイパーテキスト・マークアップ・リンクを受け入れるように構成されていないが、代替実施形態ではこのようなリンクを受け入れることもできる。
【００３１】
メモは、知り合いに関する情報、および／または知り合いと注釈を作成した所有者との間の関係に関する情報を与えることを意図している。つまり、所有者の知り合いにアクセスする者は誰でも、所有者の知り合いおよび／または知り合いの所有者に対する関係に関する有用な情報を素早く習得することができる。しかしながら、メモに含ませてもよい情報の形式には制限がない。
【００３２】
実施形態では、タグ・ボックス２１２は、タグ毎に２０文字までの、知り合い毎に１５までのタグを受け入れることができる。タグおよびタグ毎の文字数がこれらよりも多いまたは少ない場合も、代替実施形態では受け入れることができる。別個の各タグを入力し、空白で分離することができるが、１つのタグの終了および他のタグの開始を示すその他の方法も可能である。単語１つよりも長いタグは、タグ前後の引用符によって示すことができる。実施形態では、タグ・ボックスはハイパーテキスト・マークアップ・リンクを受け入れるように構成されているが、代替実施形態ではこのようなリンクを受け入れることができる。
【００３３】
タグは、知り合い、および／または知り合いとタグ注釈を作った所有者との間の関係を記述するキーワードとなることを意図している。一旦注釈エンジン１１５があるコンタクトに対してタグを作成しデータベース１１０に保存したなら、ユーザは、彼らのソーシャル・ネットワークを見ながら、キーワード検索によって彼らのソーシャル・ネットワークを選別する選択肢が与えられる。例えば、再度図２を参照すると、フィルタ・ペイン(filter pane)２２０が示されており、この中にユーザは１つ以上のキーワードを入力することができる。キーワードの入力時に、注釈エンジン１１５は、そのとき表示されている所有者（図２の例ではTina）についてデータベース・サーバ１１０に格納されている全ての知り合いに対する検索を開始することができる。エンジンは、ユーザに、タグとして、または実施形態では、タグの一部としてキーワードを含んでいた全ての知り合いを戻す。更に別の実施形態では、検索は、そのとき見られている所有者の知り合いのみに限定しなくてもよく、逆に、ユーザのソーシャル・ネットワーク上に格納されている全ての知り合いのキーワード検索を、注釈エンジン１１５によって実行し、キーワード検索と一致するタグを有する知り合い全てを戻すこともできる。このように、ユーザは知り合いの集塊を、特定の特性または関係を所有するものだけに素早く狭めることができる。尚、データベース・サーバ１１０の検索は、代替実施形態では、注釈エンジン１１５以外の構成要素によって実行してもよいことは言うまでもない。
【００３４】
先に示したように、一旦所有者が、所与の知り合いについてメモおよび／またはタグとして含んだテキストに満足したなら、エンジン１１５が情報をデータベース・サーバ１１０に保存することによって、所有者はその行為を完了することができる。実施形態では、所有者は知り合いについてメモおよびタグの双方を入力しても、あるいは単に一方または他方だけを入力してもよい。格納済みの知り合いについてメモおよび／またはタグを作成し保存した後、このメモおよび／またはタグを補正または削除することもできる。所有者は、再度、格納済み知り合いについてのページを引き上げることができる。既存のメモおよび／またはタグがテキスト・ボックス２１２、２１４内に現れることもある。その後、所有者は、所望通りに、メモおよび／またはタグを補正または削除し、次いで新しいデータを、先に説明したように、データベース１１０に保存することができる。
【００３５】
図４は、所与の格納済み知り合いについてのメモおよび／またはタグを追加、補正、および／たまは削除するための代わりのページ２２２を呈示する。ページ２２２は、当該知り合いに対して現在保存されているタグのリストを示すペイン２２４を含むことができる。所有者は、これら保存されているタグの一部または全てを除去することができる。同様に、ページ２２２はテキスト・ボックス２２６も呈示し、ユーザに当該知り合いについてのタグを追加させることもできる。更に、ページ２２２は、当該所有者が彼または彼女の格納済み知り合いのために以前に用いた全てのタグのリスト２２８を呈示することもできる。代替実施形態では、リスト２２８を省略してもよい。
【００３６】
同様に、ページ２２２は、知り合いについてのメモを追加、補正、または削除するためのテキスト・ボックス２３０を呈示することもできる。メモが現在その知り合いに対して保存されている場合、このメモは、ページ２２２を所有者に呈示するときに、ボックス２３０に現れることができる。一旦知り合いのタグおよび／またはメモに対する追加、変更および／または削除が終了したなら、新しいタグおよび／またはメモをデータベース・サーバ１１０に保存することによって、この行為を完了させることができる。尚、図３に示すページ２１０および図４に示すページ２２２以外の多種多様のユーザ・インターフェースによって、タグを追加、補正、および／または削除し、その後データベースに保存してもよいことは当業者には認められよう。
【００３７】
所有者の知り合いについてのタグ入力の効率を向上させるために、所有者に、ツール・バーまたはドロップ・ダウン・メニューを通じて、同時に複数の知り合いに所与のタグを追加する選択肢を与えてもよい。このような選択肢を、例えば、図５のページ２４２に示す。図示のように、複数の格納済み知り合いを選択し、その後１つ以上のタグをテキスト・ボックス２３４に入力する選択肢を所有者に与えておくことができ、次いで、選択した知り合い毎に、注釈エンジン１１５がタグを保存する。メモに有用である可能性は低くなるが、ページ２３２と同様のページを提供して、所有者がメモを複数の格納済み知り合いに追加できるようにしてもよいことは言うまでもない。図５に示すように複数の知り合いにタグまたはメモを追加できることは、代替実施形態では省略してもよい。
【００３８】
図６は、再度、ページ２４０上におけるTinaの知り合い（図２におけると同様）の例を示す。しかしながら、ウィンドウ２４２に示すように、Tinaは彼女の知り合いの一人、Pamela（パメラ）に対してメモおよびタグを作成している。ウィンドウ２４２は、データベース・サーバ１１０からのメモおよび／またはタグ情報の受信時に、ユーザのクライアントによって生成し表示することもできる。サーバ１１０は、メモおよび／またはタグ情報を有する知り合いが表示されたときはいつでも、このような情報をクライアントに転送することができる。
【００３９】
実施形態では、Pamelaのメモおよびタグ・ウィンドウ２４２は、Pamelaの知り合い情報が表示されたときには、いつでも示すことができる。これは、メモおよび／またはタグを有する他のいずれの知り合いにも当てはまる。あるいは、Pamelaのメモおよびタグ・ウィンドウ２４２は、グラフィカル・ポインタによってPamelaの知り合い画像を横切ったときにだけ示すようにしてもよい。更に別の代案として、タグまたはメモを有する各知り合いの隣に、アイコンまたはシンボルを配してもよい。あるいは、１つをメモに、そして１つをタグに、異なるアイコン／シンボルを呈示してもよい。このような実施形態では、Pamelaにメモおよび／またはタグが存在することは、Pamelaの知り合い画像をグラフィカル・ポインタが横切ったときのみ、またはグラフィカル・ポインタおよびポインティング・デバイスを用いてアイコン／シンボル上でクリックしたときに示されるアイコン／シンボルおよびウィンドウによって示してもよい。ウィンドウ２４２は、メモおよびタグを見た後、ユーザが閉じることができる。尚、メモまたはタグは、同様に他のいずれの表示されている知り合いについても表示してもよいことは言うまでもない。
【００４０】
図６におけるウィンドウは、Pamelaのメモおよびタグ双方を収容した単一のウィンドウとして示されている。代わりに、メモおよびタグを別個のウィンドウに恐々してもよい。
前述の実施形態では、格納済み知り合いに注釈として付けられるメモおよびタグに言及したが、多種多様のその他のデータも、格納済み知り合いに注釈として付けて、その知り合いについて記述したり、所有者との関係を示したり、あるいは他の情報を提供することも可能であることは言うまでもない。例えば、所有者は、格納済み知り合いの注釈として、写真(photograph)、絵(picture)またはその他のグラフィック画像を付けることもできる。例えば、図７では、所有者はJessie（ジェシー）の格納済み知り合いの注釈として、Jessieの犬、Max（マックス）の写真をウィンドウ２５０に付けている。更に、種勇者は格納済み知り合いの注釈として、１つ以上のファイルへのリンクを付けてもよい。例えば、図８では、所有者は、Jessieの格納済み知り合いの注釈として、ウィンドウ２５２において、ビデオ・ファイルへのリンク、オーディオ・ファイルへのリンク、およびテキスト・ファイルへのリンクを付けることができる。グラフィック画像、ビデオ・クリップ、オーディオ・ファイルおよび／またはテキスト・ファイルのデータは、データベース１１０またはそれ以外の場所に格納することができる。尚、格納済み知り合いには、メモ、タグ、グラフィック画像、ビデオ・クリップへのリンク、オーディオ・ファイルへのリンク、およびテキスト・ファイルへのリンクの内１つよりも多い項目を注釈として付けてもよいことは言うまでもない。更に、本システムの実施形態によれば、他の者に呈示するために、多種多様のその他のデータを注釈として、格納済み知り合いに着けてもよいことも言うまでもない。
【００４１】
ユーザは、異なる所有者が彼ら自身の知り合いに作成した全てのメモ、タグ、およびその他のデータを、ユーザのソーシャル・ネットワークの種々の知り合いレベルを跨いで見ることができる。しかしながら、実施形態では、ユーザは、データがユーザ自身の知り合いのためでなければ、メモ、タグ、または格納済み知り合いと関連のあるその他のデータを追加も、変更も、削除もすることはできない。つまり、一例として、TinaのみがPamelaのメモまたはタグを追加、変更、または削除することができる。しかしながら、ユーザは、彼または彼女の知り合いデータを更新するために、知り合いを求めて所有者と接触することもできる。更に、代替実施形態では、ユーザは、メモ、タグ、または別の所有者がその所有者の知り合いのために作成したその他のデータを追加、変更、および／または削除する権利および能力を制限しても、最大限有してもよい。その権利は、実施形態では、自由に利用可能としてもよい。あるいは、更に別の実施形態では、その権利は、メモ、タグ、および／またはデータを作成した所有者の所望通りに、ユーザに選択的に付与してもよい。
【００４２】
実施形態では、所有者は、当該所有者が格納済み知り合いの相互友人であるか、または格納済み知り合いのファンに過ぎないかには関係なく、彼らの格納済み知り合いの１つに注釈を付けることができる。代替実施形態では、所有者と格納済み知り合いとの間に双方向リンクが存在しなければ、所有者が格納済み知り合いに注釈を付けることを禁止してもよい。
【００４３】
図９は、本発明のシステムを実施することができ、ここに示したいずれの処理デバイスでも備えることができる、適した汎用計算システム環境３００の一例を示す。計算システム環境３００は、適した計算機環境の一例に過ぎず、本発明の使用範囲や機能性について限定を示唆する意図は全くない。また、計算システム環境３００は、動作環境例１００に示す構成要素のいずれの１つまたは組み合わせに関しても、何らかの依存性や必須要件を有するという解釈は行わないこととする。
【００４４】
本発明のシステムは、その他の多数の汎用または特殊目的計算システム、環境または構成もとでも動作する。周知のコンピュータ・システム、環境、および／または構成の例には、パーソナル・コンピュータ、サーバ・コンピュータ、マイクロプロセッサ・システム、マイクロプロセッサ系システム、セット・トップ・ボックス、プログラマブル消費者用電子機器、ネットワークＰＣ、ミニコンピュータ、メインフレーム・コンピュータ、前述のシステムまたはデバイスのいずれをも含む分散型計算機環境等が含まれる。
【００４５】
図９を参照すると、本システムを実施するシステム例は、コンピュータ３１０の形態とした汎用計算機を含む。コンピュータ３１０の構成要素は、限定ではなく、演算装置３２０、システム・メモリ３３０、およびシステム・バス３２１を含むことができる。システム・バス３２１は、システム・メモリを含む種々のシステム構成要素を演算装置３２０に結合する。システム・バス３２１は、数種類のバス構造のいずれでもよく、メモリ・バスまたはメモリ・コントローラ、周辺バス、および種々のバス構造のいずれかを用いるローカル・バスを含む。限定ではなく一例として、このような構造には、業界標準アーキテクチャ（ＩＳＡ）バス、マイクロ・チャネル・アーキテクチャ（ＭＣＡ）バス、改良ＩＳＡ（ＥＩＳＡ）バス、ビデオ電子規格連合（ＶＥＳＡ）ローカル・バス、先進グラフィックス・ポート（ＡＧＰ）、およびMezzanine バスとしても知られている周辺素子相互接続（ＰＣＩ）バスが含まれる。
【００４６】
コンピュータ３１０は、通例、種々のコンピュータ読み取り可能媒体を含む。コンピュータ読み取り可能媒体は、コンピュータ３１０がアクセス可能な入手可能な媒体であればいずれでも可能であり、揮発性および不揮発性の双方、リムーバブル、および非リムーバブル媒体を含む。限定ではない一例をあげると、コンピュータ読み取り可能媒体は、コンピュータ記憶媒体および通信媒体から成ると考えられる。コンピュータ記憶媒体は、コンピュータ読み取り可能命令、データ構造、プログラム・モジュール、またはその他のデータというような情報の格納のために、あらゆる方法または技術で実施される、揮発性および不揮発性の双方、リムーバブル、および非リムーバブル媒体を含む。コンピュータ記憶媒体は、ＲＡＭ、ＲＯＭ、ＥＥＰＲＯＭ、フラッシュ・メモリまたはその他のメモリ技術、ＣＤ−ＲＯＭ、ディジタル・ビデオ・ディスク（ＤＶＤ）またはその他の光ディスク・ストレージ、磁気カセット、磁気テープ、磁気ディスク・ストレージまたはその他の磁気記憶デバイス、あるいは所望の情報を格納するために用いることができしかもコンピュータ３１０がアクセス可能なその他のいずれの媒体も含むが、これらに限定されるのではない。通信媒体は、通例、コンピュータ読み取り可能命令、データ構造、プログラム・モジュール、またはその他のデータを、搬送波またはその他の移送機構のような変調データ信号において具体化し、あらゆる情報配信媒体を含む。「変調データ信号」という用語は、その特性集合の１つ以上が、情報を信号内にエンコードするようなやり方で、変化している信号を意味する。限定ではなく、一例として、通信媒体は、有線ネットワークまたは直接有線接続というような有線媒体、ならびに音響、ＲＦ、赤外線、およびその他のワイヤレス媒体というようなワイヤレス媒体を含む。前述のいずれの組み合わせも、コンピュータ読み取り可能媒体の範囲に含まれるものとする。
【００４７】
システム・メモリ３３０は、リード・オンリ・メモリ（ＲＯＭ）３３１およびランダム・アクセス・メモリ（ＲＡＭ）３３２のような揮発性および／または不揮発性メモリの形態で、コンピュータ記憶媒体を含む。基本入出力システム（ＢＩＯＳ）３３３は、起動中のように、コンピュータ３１０内のエレメント間におけるデータ転送を補助する基本的なルーティンを含み、通例ＲＯＭ３３１内に格納されている。ＲＡＭ３３２は、通例、演算装置３２０が直ちにアクセス可能であるデータおよび／またはプログラム・モジュール、または現在これによって処理されているデータおよび／またはプログラム・モジュールを収容する。一例として、そして限定ではなく、図９は、オペレーティング・システム３３４、アプリケーション・プログラム３３５、その他のプログラム・モジュール３３６、およびプログラム・データ３３７を示す。
【００４８】
また、コンピュータ３１０は、その他のリムーバブル／非リムーバブル揮発性／不揮発性コンピュータ記憶媒体も含むことができる。一例としてのみ、図９は、非リムーバブル不揮発性磁気媒体からの読み取りおよびこれへの書き込みを行なうハード・ディスク・ドライブ３４１、リムーバブル不揮発性磁気ディスク３５２からの読み取りおよびこれへの書き込みを行なう磁気ディスク・ドライブ３５１を示す。更に、コンピュータ３１０は、光媒体３００からの読み取りおよびこれへの書き込みを行なう光ディスク・ドライブ３５５も含むことができる。
【００４９】
動作環境の一例において使用可能なその他のリムーバブル／非リムーバブル、揮発性／不揮発性コンピュータ記憶媒体には、限定する訳ではないが、磁気テープ・カセット、フラッシュ・メモリ・カード、ディジタル・バーサタイル・ディスク、ディジタル・ビデオ・テープ、ソリッド・ステートＲＡＭ、ソリッド・ステートＲＯＭ等が含まれる。ハード・ディスク・ドライブ３４１は、通例、インターフェース３４０のような非リムーバブル・メモリ・インターフェースを介してシステム・バス３２１に接続され、磁気ディスク・ドライバ３５１および光ディスク・ドライブ３５５は、通例、インターフェース３５０のようなリムーバブル・メモリ・インターフェースによって、システム・バス３２１に接続する。
【００５０】
先に論じ図９に示すドライブおよびそれらと関連するコンピュータ記憶媒体は、コンピュータ読み取り可能命令、データ構造、プログラム・モジュール、およびコンピュータ３１０のその他のデータを格納する。図９では、例えば、ハード・ディスク・ドライブ３４１は、オペレーティング・システム３４４、アプリケーション・プログラム３４５、その他のプログラム・モジュール３４６、およびプログラム・データ３４７を格納するように示されている。これらの構成要素は、オペレーティング・システム３３４、アプリケーション・プログラム３３５、その他のプログラム・モジュール３３６、およびプログラム・データ３３７と同じでも異なっていても可能である。オペレーティング・システム３４４、アプリケーション・プログラム３４５、その他のプログラム・モジュール３４６、およびプログラム・データ３４７は、ここで、少なくともこれらが異なるコピーであることを示すために、異なる番号が与えられている。ユーザは、キーボード３６２、および一般にマウス、トラックボールまたはタッチ・パッドと呼ばれているポインティング・デバイス３６１によって、コマンドおよび情報をコンピュータ３１０に入力することができる。他の入力デバイス（図示せず）には、マイクロフォン、ジョイスティック、ゲーム・パッド、衛星ディッシュ、スキャナ等を含むことができる。これらおよびその他の入力デバイスは、多くの場合、ユーザ入力インターフェース３６０を介して、演算装置３２０に接続されている。ユーザ入力インターフェース３６０は、システム・バス３２１に結合されているが、パラレル・ポート、ゲーム・ポート、またはユニバーサル・シリアル・バス（ＵＳＢ）のようなその他のインターフェースおよびバス構造によって接続することも可能である。モニタ３９１またはその他の形式の表示装置も、ビデオ・インターフェース３９０のようなインターフェースを介して、システム・バス３２１に接続されている。モニタに加えて、コンピュータはスピーカ３９７およびプリンタ３９６のような、その他の周辺出力装置も含むことができ、これらは出力周辺インターフェース３９５を通じて接続することができる。
【００５１】
コンピュータ３１０は、リモート・コンピュータ３８０のような１つ以上のリモート・コンピュータへの論理接続を用いて、ネットワーク環境において動作することも可能である。リモート・コンピュータ３８０は、パーソナル・コンピュータ、サーバ、ルータ、ネットワークＰＣ、ピア・デバイス、またはその他の共通ネットワーク・ノードとすることができ、通例、コンピュータ３１０に関して先に説明したエレメントの多くまたは全てを含むが、図９にはメモリ記憶装置３８１のみを示す。図９に示す論理接続は、ローカル・エリア・ネットワーク（ＬＡＮ）３７１およびワイド・エリア・ネットワーク（ＷＡＮ）３７３を含むが、他のネットワークも含むことができる。このようなネットワーク環境は、事務所、企業規模のコンピュータ・ネットワーク、イントラネットおよびインターネットにおいては、一般的である。
【００５２】
ＬＡＮネットワーク環境で用いる場合、コンピュータ３１０は、ネットワーク・インターフェースまたはアダプタ３７０を介してＬＡＮ３７１に接続する。ＷＡＮネットワーク環境で用いる場合、コンピュータ３１０は、通例、モデム３７２、またはインターネットのようなＷＡＮ３７３を通じて通信を確立するその他の手段を含む。モデム３７２は、内蔵でも外付けでもよく、ユーザ入力インターフェース３６０またはその他の適切な機構を介してシステム・バス３２１に接続することができる。ネットワーク環境では、コンピュータ３１０に関して図示したプログラム・モジュール、またはその一部は、リモート・メモリ記憶装置に格納することもできる。一例として、そして限定ではなく、図９は、リモート・アプリケーション・プログラム３８５がメモリ素子３８１上に常駐するものとして示している。尚、図示のネットワーク接続は一例であり、コンピュータ間で通信リンクを確立する他の手段も使用可能であることは認められよう。
【００５３】
前述の本発明の詳細な説明は、例示および説明の目的で呈示した。これは、全てを網羅することも、本発明のシステムを開示した形態そのものに限定することも意図していない。前述の実施形態は、本発明のシステムの原理およびその実用的用途を最良に説明することにより、当業者が、種々の実施形態において、そして想定される個々の使用に適した種々の変更を伴って、本発明のシステムを最良に利用することを可能とするために選択したのである。本発明のシステムの範囲は、添付した特許請求の範囲によって定められるものとする。
【図面の簡単な説明】
【００５４】
【図１】図１は、本発明の一実施形態を実施するシステムのブロック図である。
【図２】図２は、ユーザのソーシャル・ネットワークからのページを示すグラフィカル・ユーザ・インターフェース上に呈示されたウィンドウ例である。
【図３】図３は、本発明の一実施形態にしたがって、格納済み知り合いに関連させるタグおよび／またはメモを入力するために、グラフィカル・ユーザ・インターフェース上に呈示されたウィンドウ例である。
【図４】図４は、本発明の更に別の実施形態にしたがって、格納済み知り合いに関連させるタグおよび／またはメモを入力するために、グラフィカル・ユーザ・インターフェース上に呈示されたウィンドウ例である。
【図５】図５は、本発明の一実施形態にしたがって、複数の格納済み知り合いに関連させるタグおよび／またはメモを入力するために、グラフィカル・ユーザ・インターフェース上に呈示されたウィンドウ例である。
【図６】図６は、特定の知り合いに付けたタグおよびメモを含む、ユーザのソーシャル・ネットワークからのページを示す、グラフィカル・ユーザ・インターフェース上に呈示されたウィンドウ例である。
【図７】図７は、特定の知り合いに付けたグラフィック画像を含むユーザのソーシャル・ネットワークからのページを示す、グラフィカル・ユーザ・インターフェース上に呈示されたウィンドウ例である。
【図８】図８は、特定の知り合いに注釈を付けた格納済み知り合いを含む、ユーザのソーシャル・ネットワークからのページを示す、グラフィカル・ユーザ・インターフェース上に呈示されたウィンドウ例である。
【図９】図９は、本発明の実施形態を実施するのに適したコンピュータ・ハードウェアのブロック図である。
【図１】
2009505286.tif 000003
【図２】
2009505286.tif 000004
【図３】
2009505286.tif 000005
【図４】
2009505286.tif 000006
【図５】
2009505286.tif 000007
【図６】
2009505286.tif 000008
【図７】
2009505286.tif 000009
【図８】
2009505286.tif 000010
【図９】
2009505286.tif 000011
【国際調査報告】
2009505286.tif 000012
2009505286.tif 000013